(57)【要約】【課題】印版を吊り下げ状態にして収納する際の作業性を向上することができる印版支持具及び同支持具を用いた印版収納システムを提供する。【解決手段】印版収納システム１１において印版１２を吊り下げ状態にして収納する際に用いられる印版支持具１７は、定形性を有する本体部３１と、シート状の印版１２を吊り下げ状態にして保持可能であり且つ本体部３１に対して本体部３１と一体的に移動可能に設けられた保持部３３と、鉛直方向と交差する方向に延びる部分を有する被掛止部材であるパイプ１６に対して鉛直方向の上側から掛止可能であり且つ本体部３１に対して本体部３１と一体的に移動可能に設けられた掛止部３２と、を備える。【選択図】図２
2017193061.tif 000002
【特許請求の範囲】
【請求項１】
定形性を有する本体部と、
シート状の印版を吊り下げ状態にして保持可能であり且つ前記本体部に対して当該本体部と一体的に移動可能に設けられた保持部と、
鉛直方向と交差する方向に延びる部分を有する被掛止部材に対して鉛直方向の上側から掛止可能であり且つ前記本体部に対して当該本体部と一体的に移動可能に設けられた掛止部と、
を備えることを特徴とする印版支持具。
【請求項２】
前記掛止部は、前記被掛止部材に掛け止めた状態において鉛直方向及び前記被掛止部材が延びる方向の双方と交差する方向に向けて先端が延びる片持ち梁部を有していることを特徴とする請求項１に記載の印版支持具。
【請求項３】
前記片持ち梁部は、前記掛止部を前記被掛止部材に掛け止めるときに鉛直方向の下側となる部分に、前記片持ち梁部の先端に向けて上り勾配となる斜状部が前記先端に連なるように形成されていることを特徴とする請求項２に記載の印版支持具。
【請求項４】
前記本体部は、前記掛止部を前記被掛止部材に掛け止めた状態において鉛直方向と交差する方向を長手方向とする形状をなし、前記掛止部は、前記本体部における長手方向の中央部に設けられると共に、前記保持部は、前記本体部における前記掛止部が設けられた位置を基準として長手方向の両側に対称となる位置にそれぞれ設けられていることを特徴とする請求項１〜請求項３のうち何れか一項に記載の印版支持具。
【請求項５】
請求項１〜請求項４のうち何れか一項に記載の印版支持具と、
前記印版の収納場所で鉛直方向と交差する方向に延びる部分を有する被掛止部材と、
を備えることを特徴とする印版収納システム。
【請求項６】
前記印版支持具の前記掛止部が掛け止められる前記被掛止部材の側方には、前記被掛止部材に前記掛止部が掛け止められた状態にある前記印版支持具における鉛直方向及び前記被掛止部材が延びる方向の双方と交差する方向に向けて先端が延びる片持ち梁部に対して鉛直方向の一方側から当接可能な当接部材が設けられていることを特徴とする請求項５に記載の印版収納システム。
【発明の詳細な説明】
【技術分野】
【０００１】
本発明は、例えばダンボール板等に対する印刷用の印版を吊り下げ状態で収納する際に用いる印版支持具及びその支持具を用いた印版収納システムに関する。
【背景技術】
【０００２】
従来から、ダンボール板等の表面に文字や図形等の表示を印刷する際には、フィルム状のシート体の表面に印刷用の凸版が設けられた可撓性を有する印版を、印刷装置における印刷時に回転するロールに巻き付け、搬送されるダンボール板等の表面に対して回転するロール上の印版を接触させて所定の表示を印刷するようにしている。そして、そのような印刷に用いた印版は、インク等の印刷材で汚れた凸版が洗浄され、その後、収納ラックに収納されるが、一般に印版は可撓性を有しているため、従来の印版収納システムでは印版を吊り下げ状態で収納している。
【０００３】
すなわち、印版は、その矩形状をなすシート体における四辺のうち吊り下げ時に上辺となる一辺の部分にシート体よりも厚さのある長尺の縁材が取り付けられ、その縁材の部分が収納ラックに支持された収納筒と称される印版支持具によって保持されることにより、収納ラックに対して吊り下げ状態で収納される。なお、収納ラックには、このような印版を多数重なるように並べて吊り下げ状態に支持可能なパイプが、水平方向へ延びるように架設されている（特許文献１参照）。
【先行技術文献】
【特許文献】
【０００４】
【特許文献１】特開２０１５−８５６７０号公報
【発明の概要】
【発明が解決しようとする課題】
【０００５】
ところで、従来の印版収納システムで印版を収納ラックのパイプに対して吊り下げ状態に支持する印版支持具は、水平なパイプに対して同パイプと直交する方向に延びた状態で支持されるスリット付きの筒状部材（収納筒）で構成されている。そして、その筒状部材に対して印版を吊り下げ状態にして支持させる際には、その筒状部材における長さ方向の一端側の開口部から、印版の上端に取り付けられた縁材の長さ方向の端部を、シート体の端縁が筒状部材のスリットに差し入れられる位置状態にして筒状部材の内奥へと挿入する作業が行われる。
【０００６】
しかしながら、印版支持具である筒状部材の一端側の開口部に対して、人手により把持した印版における縁材の長さ方向の端部を位置合わせして挿入する作業は、印版が重量物でもあることから、作業者が非力である場合や、鉛直方向における筒状部材の高さ位置が作業者の肩の位置よりも高いような場合には、その作業に困難を伴うこともある。特に、筒状部材におけるスリットに対して印版におけるシート体の端縁を差し入れる作業は位置合わせが煩雑であった。そのため、従来から印版を吊り下げ状態にして収納する際の作業性の改善が望まれていた。
【０００７】
本発明は、このような実情に鑑みてなされたものであり、その目的は、印版を吊り下げ状態にして収納する際の作業性を向上することができる印版支持具及び同支持具を用いた印版収納システムを提供することにある。
【課題を解決するための手段】
【０００８】
以下、上記課題を解決するための手段及びその作用効果について記載する。
上記課題を解決する印版支持具は、定形性を有する本体部と、シート状の印版を吊り下げ状態にして保持可能であり且つ前記本体部に対して当該本体部と一体的に移動可能に設けられた保持部と、鉛直方向と交差する方向に延びる部分を有する被掛止部材に対して鉛直方向の上側から掛止可能であり且つ前記本体部に対して当該本体部と一体的に移動可能に設けられた掛止部と、を備える。
【０００９】
この構成によれば、保持部により印版を吊り下げ状態にして保持しつつ、本体部を印版の収納場所に向けて移動させ、その収納場所において鉛直方向と交差する方向に延びる部分を有する被掛止部材に対して鉛直方向の上側から掛止部を掛け止めれば、煩雑な位置合わせ作業をすることなく、印版を容易に吊り下げ状態にして支持できる。
【００１０】
上記印版支持具において、前記掛止部は、前記被掛止部材に掛け止めた状態において鉛直方向及び前記被掛止部材が延びる方向の双方と交差する方向に向けて先端が延びる片持ち梁部を有していることが好ましい。
【００１１】
この構成によれば、印版の収納場所において被掛止部材における鉛直方向と交差する方向に延びる部分に対して掛止部が有する片持ち梁部の先端部分を仮置き状態にし、その後、片持ち梁部を被掛止部材に摺動させつつ本体部を移動させれば、被掛止部材に対して掛止部を容易に掛け止めできる。すなわち、印版及びその印版を吊り下げて保持する印版支持具の総重量を掛止作業の完了時まで人手により全て負担することなく、片持ち梁部の先端部分を被掛止部材に仮置き状態にして掛止作業を行うことで、その重量負担を軽減することができる。
【００１２】
上記印版支持具において、前記片持ち梁部は、前記掛止部を前記被掛止部材に掛け止めるときに鉛直方向の下側となる部分に、前記片持ち梁部の先端に向けて上り勾配となる斜状部が前記先端に連なるように形成されていることが好ましい。
【００１３】
この構成によれば、掛止部の片持ち梁部の先端部分を被掛止部材上に仮置き状態にするべく本体部を水平方向に移動させたとき、片持ち梁部の先端に連なる上り勾配の斜状部がガイド機能を発揮して、被掛止部材に対する片持ち梁部の仮置き作業を円滑にする。したがって、この点でも、印版を吊り下げ状態にして収納する際の作業性を向上できる。
【００１４】
上記印版支持具において、前記本体部は、前記掛止部を前記被掛止部材に掛け止めた状態において鉛直方向と交差する方向を長手方向とする形状をなし、前記掛止部は、前記本体部における長手方向の中央部に設けられると共に、前記保持部は、前記本体部における前記掛止部が設けられた位置を基準として長手方向の両側に対称となる位置にそれぞれ設けられていることが好ましい。
【００１５】
この構成によれば、掛止部を基準として対称となる位置に設けられた保持部により印版を安定的に吊り下げ状態に保持できると共に、本体部の長手方向の一端部を把持することにより離れた位置にある被掛止部材に対して掛止部を容易に掛け止めることができる。さらに、例えば保持部が複数対ある場合には大きさの異なる複数種類の印版を各保持部により吊り下げ状態にして保持することができる。
【００１６】
一方、上記課題を解決する印版収納システムは、上記構成の印版支持具と、前記印版の収納場所において鉛直方向と交差する方向に延びる部分を有する被掛止部材と、を備える。
【００１７】
この構成によれば、印版収納システムにおいて、上記印版支持具を用いることで、上記印版支持具において享受できる作用効果と同様の作用効果を享受できる。
上記印版収納システムにおいて、前記印版支持具の前記掛止部が掛け止められる前記被掛止部材の側方には、前記被掛止部材に前記掛止部が掛け止められた状態にある前記印版支持具における鉛直方向及び前記被掛止部材が延びる方向の双方と交差する方向に向けて先端が延びる片持ち梁部に対して鉛直方向の一方側から当接可能な当接部材が設けられていることが好ましい。
【００１８】
この構成によれば、例えば印版が印版支持具により吊り下げられた状態において傾いてしまうような場合には、当接部材が印版支持具の掛止部における片持ち梁部に鉛直方向の一方側から当接するため、そのような印版の傾きを抑制することができる。
【発明の効果】
【００１９】
本発明によれば、印版を吊り下げ状態にして収納する際の作業性を向上することができる。
【図面の簡単な説明】
【００２０】
【図１】実施形態の印版収納システムの全体構成を概略的に示した平面図。
【図２】印版収納システムでの印版のメンテナンス作業状態を模式的に示す正面図。
【図３】図１における３−３線矢視の概略正面図。
【図４】印版を吊り下げ状態にして支持した印版支持具の正面図。
【図５】印版を吊り下げ状態にして支持した印版支持具の側面図。
【図６】印版支持具の掛止部の片持ち梁部をパイプに仮置きした状態を示す正面図。
【図７】印版支持具の掛止部をパイプに掛け止めた状態を示す正面図。
【図８】第１変形例の印版支持具の一部を示す正面図。
【図９】第２変形例の印版支持具の一部を示す正面図。
【図１０】第３変形例の印版支持具の一部を示す正面図。
【発明を実施するための形態】
【００２１】
以下、印版収納システムの一実施形態を、同システムにおいて用いられる印版支持具と共に、図を参照して説明する。
図１及び図２に示すように、印版収納システム１１は、印版１２を吊り下げ状態にして収納可能な複数台（図１では一例として１４台図示）の収納ラック１３と、印版１２を収納ラック１３に収納したり又はそこから取り出したりする際に作業者Ｍが位置する少なくとも１箇所（図１では一例として２箇所図示）の作業ステーション１４とを有している。
【００２２】
図２及び図３に示すように、収納ラック１３は、外形が縦長直方体状をなす枠体部１５を有し、その枠体部１５の枠内上部には鉛直方向と交差する方向に延びる部分を有する被掛止部材の一例である筒状のパイプ１６が水平方向に延びるように架設されている。そして、このパイプ１６に対して、多数枚（図３には１５枚図示）の印版１２が、印版支持具１７を介して、パイプ１６の軸方向へ重なるように吊り下げ状態で支持されている。
【００２３】
枠体部１５の下部には複数（実際には４つ）の車輪１８が設けられる一方、枠体部１５の上部には一対のローラ１９が設けられている。これらのローラ１９は、印版収納システム１１における二箇所の作業ステーション１４の位置を巡る周回形状に設けられたガイドレール２０に対して水平方向から転動可能に接触している。一方、車輪１８は、印版収納システム１１が設けられたフロアＦ上に平面視においてガイドレール２０と相似形状をなすように設けられた走行レール２１上を転動する。
【００２４】
したがって、収納ラック１３は、図示しないスプロケット及びチェーン等を含むラック移動機構の駆動に伴いローラ１９がガイドレール２０に沿って転動すると共に車輪１８が走行レール２１上を転動すると、図１に一点鎖線で示す周回軌道を描くように移動する。そして、そうした複数の収納ラック１３のうちで作業ステーション１４と対向する位置に停止させた収納ラック１３に対して作業者Ｍによる印版１２の収納作業や取り出し作業が行われる。
【００２５】
なお、図２に示すように、作業ステーション１４は、フロアＦ上に設置される所定高さの台座２２と、その台座２２上に作業者Ｍが上がるときに用いる階段２３を有している。因みに、この場合における台座２２の所定高さとは、その台座２２上に立った作業者Ｍの頭部の高さが、収納ラック１３における枠体部１５の上端よりも少し高くなる程度の高さが好ましい。その理由は、台座２２上に立った作業者Ｍの肩の位置が収納ラック１３における枠体部１５内の上部に架設されたパイプ１６の高さ位置とほぼ同じになり、作業者Ｍによる印版１２の収納作業や取り出し作業が行い易くなるからである。
【００２６】
次に、印版支持具１７について説明する。
図２及び図３に示すように、印版支持具１７は、例えば金属や樹脂等で長尺の帯板状に成形された定形性を有する本体部３１と、収納ラック１３のパイプ１６に掛止可能な形状を有して本体部３１に設けられた掛止部３２と、印版１２を吊り下げ状態にして保持可能な形態を有して本体部３１に設けられた保持部３３とを備えている。掛止部３２は、本体部３１における長手方向の中央部に設けられると共に、保持部３３は、本体部３１における掛止部３２が設けられた中央位置を基準として長手方向の両側で対称となる位置に対をなすように設けられている。そのため、印版支持具１７は、掛止部３２を収納ラック１３のパイプ１６に掛け止めた状態において、本体部３１が鉛直方向と交差する方向である水平方向を長手方向とする形状を有することになり、その本体部３１の長手方向の中央位置を挟んで対称となる位置に各々設けられた保持部３３により印版１２をバランスよく吊り下げ状態に支持できる。
【００２７】
図４及び図５に示すように、印版１２は、可撓性を有する矩形状のフィルム等からなるシート体３４を有し、そのシート体３４の表面には印刷用の凸版（図４では一例として「Ａ」「Ｂ」「Ｃ」の文字）３５が設けられている。また、シート体３４における四辺のうち吊り下げられたときに上辺となる一辺の部分にはシート体３４よりは厚さのある長尺帯板状をなす縁材３６が取り付けられている。なお、縁材３６の長さは、シート体３４の幅寸法（吊り下げられた状態での水平方向の寸法）とほぼ同じであり、印版支持具１７における本体部３１の長さよりは若干長い。
【００２８】
また、印版１２における縁材３６の長手方向の両端部には一対の孔３７が形成されると共に、印版支持具１７における本体部３１の長手方向の両端部には縁材３６に形成された一対の孔３７と同じ間隔をおいた一対の孔３８が形成されている。そして、これらの印版支持具１７の本体部３１に形成された孔３８と印版１２の縁材３６に形成された孔３７に対して、印版支持具１７において保持部３３を構成する側面視略Ｓ字状のフック部材３９の上端部及び下端部がそれぞれ挿通されている。
【００２９】
なお、フック部材３９における下端部のフック形状は、縁材３６の孔３７に挿通された部分から縁材３６の表裏両面側に露出して各々上方へ延びる部分同士が互いに平行となるように形成されている。そのため、フック部材３９の下端部のフック形状が外側方へ丸みを帯びて膨らんだ形状の場合とは異なり、印版１２をパイプ１６の軸方向へ重なるようにして吊り下げた場合でも、隣り合う印版支持具１７における保持部３３のフック部材３９同士が絡まってしまう虞を低減できる。
【００３０】
また、図４に示すように、印版支持具１７の本体部３１には、両端部に形成された一対の孔３８の間隔よりも短い間隔をおいて対称をなす更に一対の孔３８が形成されている。これらの内側の一対の孔３８は、図４に実線で示す印版１２よりも幅が小さい図４に二点鎖線で示す幅狭の印版１２ａを吊り下げる際に、その印版１２ａにおける縁材３６の両端部に形成された一対の孔３７と上下方向で各々対応した位置状態となり、これらの孔３８及び孔３７に対してフック部材３９の上端部及び下端部がそれぞれ挿通される。つまり、印版支持具１７の本体部３１には、対をなす孔３８同士の間隔が異なる複数対の孔３８が形成されていることから、大きさ（幅）が異なる複数種類の印版１２，１２ａの吊り下げに一つの印版支持具１７を兼用して使用できる。
【００３１】
また、図４に示すように、印版支持具１７の掛止部３２は、被掛止部材として機能するパイプ１６に水平方向への移動を抑制された状態で係合可能な係合凹部４０が形成されたフック部４１と、そのフック部４１から鉛直方向及びパイプ１６が延びる方向の双方と交差する方向（例えば、水平方向）に向けて先端が延びる片持ち梁部４２とを有している。係合凹部４０は、その内面が下向き半凹円弧面状をなし、フック部４１は、その外形状が係合凹部４０の内面形状に沿うフック形状をなしている。また、片持ち梁部４２における掛止部３２をパイプ１６に掛け止めるときに鉛直方向の下側となる部分には、その片持ち梁部４２の先端に向けて上り勾配となる斜状部４３が片持ち梁部４２の先端に連なるように形成されている。
【００３２】
さらに、印版１２が印版支持具１７を用いて収納される収納ラック１３の枠体部１５において被掛止部材であるパイプ１６の側方となる位置、すなわち、パイプ１６に掛け止められた状態にある掛止部３２のフック部４１から片持ち梁部４２の先端が延びる方向側の位置には、その片持ち梁部４２に対して当接可能な当接部材４４が設けられている。この当接部材４４は、パイプ１６と平行な方向（水平方向）に延びる部分を有する屈曲部材であり、印版支持具１７における掛止部３２がパイプ１６を回動中心にして片持ち梁部４２の先端を図４において時計方向に傾けるように回動したとき、その片持ち梁部４２に鉛直方向の下側から当接することにより、それ以上の回動を抑制する。
【００３３】
そこで次に、上記の印版支持具１７を用いて印版１２を印版収納システム１１における収納ラック１３に収納したり、その収納ラック１３から取り出したりする際の作用について以下説明する。なお、説明の前提として、印版１２は、印版支持具１７における本体部３１の孔３８に上端部を挿通されたフック部材３９（保持部３２）の下端部が印版１２における縁材３６の孔３７に挿通された状態、すなわち印版支持具１７と一体的に移動可能な状態にあるものとする。
【００３４】
さて、そのような状態にある印版１２を印版収納システム１１の収納ラック１３に収納する際には、図２に示すように、作業ステーション１４の台座２２上に立った作業者Ｍが印版支持具１７の一部を把持し、印版１２と印版支持具１７とを一体的に収納ラック１３側へ移動させて、掛止部３２を収納ラック１３内のパイプ１６に掛け止める。この場合、印版支持具１７の本体部３１は長尺で定形性を有しているため、作業者Ｍは、その本体部３１の長手方向の一端部（すなわち、図２の場合は左端部であって、掛止部３２の片持ち梁部４２の先端が延びる方向とは反対側の端部）を把持する。そして、保持部３３により印版１２を吊り下げ状態に保持した印版支持具１７を、収納ラック１３の外側方（図２の場合は左外側方）から、掛止部３２の片持ち梁部４２が収納ラック１３内のパイプ１６上に仮置きされるように、収納ラック１３に対する収納方向（図２の場合は右方向）に移動させる。
【００３５】
すると、図６に示すように、まず掛止部３２における片持ち梁部４２の先端部がパイプ１６上に仮置きされた状態になる。このとき、掛止部３２の片持ち梁部４２は、その先端に連なるように下面側に形成された上り勾配の斜状部４３がパイプ１６に先ず乗り上げてガイド機能を発揮するため、パイプ１６に片持ち梁部４２の先端が衝突することが抑制される。そして、そのように片持ち梁部４２の先端部がパイプ１６上に仮置きされる結果、印版１２及びそれを吊り下げた状態にある印版支持具１７の総重量は、印版支持具１７の本体部３１を手で把持している作業者Ｍではなく、片持ち梁部４２が仮置きされたパイプ１６により負担される。そして、その状態から更に作業者Ｍが印版支持具１７の本体部３１を図６に白抜き矢印で示す収納方向に移動させると、パイプ１６上を片持ち梁部４２の斜状部４３が収納方向に摺動し、その後、斜状部４３よりも片持ち梁部４２の基端側部分がパイプ１６上を収納方向に摺動するようになる。
【００３６】
すると、図７に示すように、掛止部３２におけるフック部４１がパイプ１６の上方位置まで移動し、その位置で作業者Ｍが印版支持具１７の本体部３１を重力に従い下方へ移動させると、パイプ１６に対してフック部４１の係合凹部４０が上方から係合し、印版支持具１７は掛止部３２がパイプ１６に掛け止められた状態になる。このように本体部３１と一体的に移動する保持部３３（フック部材３９）によって印版１２を吊り下げた状態で、その本体部３１と一体的に移動する掛止部３２を収納ラック１３のパイプ１６に鉛直方向の上側から掛け止めると、収納ラック１３に対する印版１２の収納作業が完了する。
【００３７】
そして印版支持具１７は、そのように掛止部３２をパイプ１６に掛け止めた状態では、パイプ１６における凸円弧面状の上半分外周面に対して、フック部４１における係合凹部４０の下向き半凹円弧面状の内面が上方から面接触して係合しているため、掛止部３２は水平方向（すなわち、収納方向及びそれと反対の取り出し方向）への移動が抑制される。その結果、収納ラック１３のパイプ１６から印版支持具１７の掛止部３２が外れることが抑制され、吊り下げ状態に収納されている印版１２は印版支持具１７に収納方向又は取り出し方向から衝撃が加わった場合にも、その衝撃により掛止状態が外れて落下することが抑制される。
【００３８】
また、収納ラック１３は、ガイドレール２０及び走行レール２１に沿う周回軌道を描くように移動可能であるが、作業ステーション１４の前を通過するときには旋回するように移動するため、その旋回時に、印版支持具１７を介してパイプ１６に吊り下げられた状態にある印版１２は下端部が外側方へ揺動しようとする。そして、そのように印版１２の下端部が外側方へ揺動した場合には、印版収納システム１１の周りに位置する他の機構等に印版１２を衝突させてしまう虞がある。
【００３９】
この点、本実施形態では、そのように収納ラック１３が旋回するように移動した場合において、印版１２が下端部を外側方へ揺動させようとしても、掛止部３２における片持ち梁部４２が当接部材４４における水平方向に延びる部分に対して鉛直方向の下側から当接して揺動を規制するため、そのような揺動によって印版１２が傾くことが抑制される。
【００４０】
上記の実施形態によれば、以下のような効果を得ることができる。
（１）保持部３３により印版１２を吊り下げ状態にして保持しつつ、本体部３１を印版１２の収納ラック１３側に移動させ、その収納ラック１３において水平方向に延びるパイプ１６に対して鉛直方向の上側から掛止部３２を掛け止めれば、煩雑な位置合わせ作業をすることなく、印版１２を容易に吊り下げ状態に支持することができる。
【００４１】
（２）収納ラック１３において水平方向に延びる被掛止部材であるパイプ１６に対して掛止部３２が有する片持ち梁部４２の先端部分を仮置き状態にし、その後、片持ち梁部４２をパイプ１６に摺動させつつ本体部３１を収納方向に移動させれば、パイプ１６に対して掛止部３２を容易に掛け止めできる。すなわち、印版１２及びその印版１２を吊り下げて保持する印版支持具１７の総重量を、掛止作業の完了時まで人手により全て負担することなく、片持ち梁部４２の先端部分をパイプ１６に仮置き状態にして掛止作業を行うことで、その重量負担を軽減することができる。
【００４２】
（３）掛止部３２の片持ち梁部４２の先端部分を被掛止部材であるパイプ１６上に仮置き状態にするべく本体部３１を水平方向に移動させたとき、片持ち梁部４２の先端に連なる上り勾配の斜状部４３がガイド機能を発揮して、パイプ１６に対する片持ち梁部４２の仮置き作業を円滑にする。したがって、この点でも、印版１２を吊り下げ状態にして収納する際の作業性を向上できる。
【００４３】
（４）長尺の本体部３１において中央の掛止部３２を基準として対称となる位置に設けられた保持部３３により印版１２を安定的に吊り下げ状態に保持できると共に、本体部３１の長手方向の一端部を把持することにより、離れた位置にあるパイプ１６に対しても掛止部３２を容易に掛け止めることができる。
【００４４】
（５）さらに、長尺の本体部３１には、対をなす孔３８同士の間隔が異なる複数対の孔３８が形成されているので、大きさ（幅）の異なる複数種類の印版１２をそれぞれ吊り下げ状態にして保持するときに、一種類の印版支持具１７を兼用して使用することができる。
【００４５】
（６）例えば印版１２が印版支持具１７により吊り下げられた状態において傾いてしまうような場合には、当接部材４４が印版支持具１７の掛止部３２における片持ち梁部４２に鉛直方向の下側から当接するため、そのような印版１２の傾きを抑制できる。
【００４６】
なお、上記の実施形態は以下のように変更してもよい。
・図８に示すように、印版支持具１７の掛止部３２は、フック部４１の外形状がフック形状ではなくて直角に屈曲する形状であってもよい。この場合にも、そのフック部４１には内面が下向き半凹円弧面状をなす係合凹部４０が形成されると共に、そのフック部４１から片持ち梁部４２が水平方向に延びるように形成されているため、印版１２の収納作業を容易に行うことができる。
【００４７】
・図９に示すように、印版支持具１７の掛止部３２は、フック部４１の外形状がフック形状ではなくて鋭角に屈曲する形状であってもよい。この場合、そのフック部４１の内側には鋭角状に交差する２つの面で係合凹部４０が形成されると共に、そのフック部４１から片持ち梁部４２が収納方向へ前下がりに延びるように形成されているため、印版１２の収納作業を容易に行うことができる。
【００４８】
・図１０に示すように、印版支持具１７の掛止部３２は、フック部４１から水平方向に延びる片持ち梁部４２が形成されていない構成でもよい。この場合にも、フック部４１には内面が下向き半凹円弧面状をなす係合凹部４０が形成されているため、パイプ１６に掛止部３２を掛け止めることにより、印版１２の収納作業を容易に行うことができる。
【００４９】
・当接部材４４は、印版１２が傾きそうになったとき、その当接部材４４における水平方向に延びる部分が掛止部３２の片持ち梁部４２に対して鉛直方向の下側からでなく、その反対の上側から当接することで、印版１２の傾きを抑制する構成であってもよい。
【００５０】
・当接部材４４は、水平方向に延びる部分を有する部材であれば、帯板状の部材に限らず、棒状の部材でもよく、又はワイヤーなどの線材であってもよい。
・印版支持具１７の掛止部３２が掛け止められる被掛止部材は、筒状のパイプ１６に限らず、中実の棒材やワイヤーなどの線材でもよい。また、鉛直方向と交差する方向（水平方向）に延びる部分を有していれば、その全体が直状でなくてもよい。
【００５１】
・印版支持具１７における保持部３３は、フック部材３９による以外に例えばクリップなどで構成されてもよい。また、本体部３１から鉛直方向と交差する方向へ突設したピン部等に印版１２の縁材３６に形成された孔３７を挿通させるようにして、そのようなピン部により保持部３３を構成してもよい。
【００５２】
・印版支持具１７において本体部３１の中央から両側で対称となる位置に対をなすように設けられる保持部３３は３対以上であってもよい。さらに、本体部３１と一体的に移動可能であるならば、保持部３３は対をなすことなく複数箇所に設けられる構成であってもよい。
【００５３】
・印版支持具１７における本体部３１は、定形性を有するならば、長尺の帯板状以外の形状であればよい。但し、本体部３１において作業者Ｍが把持する端部が掛止部３２から離れた位置まで延びていることが好ましい。
【００５４】
・印版支持具１７の掛止部３２における片持ち梁部４２は、その先端下側の斜状部４３が直線的な上り勾配ではなく曲線的な上り勾配の構成であってもよい。または、片持ち梁部４２の先端が凸球面状をなす構成であってもよい。
【符号の説明】
【００５５】
１１…印版収納システム、１２，１２ａ…印版、１６…パイプ（被掛止部材）、１７…印版支持具、３１…本体部、３２…掛止部、３３…保持部、３９…フック部材、４２…片持ち梁部、４３…斜状部、４４…当接部材。
【図１】
2017193061.tif 000003
【図２】
2017193061.tif 000004
【図３】
2017193061.tif 000005
【図４】
2017193061.tif 000006
【図５】
2017193061.tif 000007
【図６】
2017193061.tif 000008
【図７】
2017193061.tif 000009
【図８】
2017193061.tif 000010
【図９】
2017193061.tif 000011
【図１０】
2017193061.tif 000012